(57)【要約】      （修正有）【課題】墓地に設置されている墓誌や墓石本体の竿石に追加彫刻する場合必要とされる労力を省くことができ、また、従来の一枚板の墓誌をなくし墓地の省スペース化を図る小型墓誌を墓石本体内に安置することができる墓石構造を提供する。【解決手段】墓石本体における竿石１下方の上台石２に空洞部８を設け、扉６を装着するとともに空洞部内部に小型墓誌を立てる支持台を収納し、扉が開かないよう扉止め７を下台石３に差し込む。いつでも容易に墓誌を出し入れすることができるので、従来かかっていた労力を削減でき、また、墓参や法要の時必要に応じて扉を開けて故人の供養をすることができる。【選択図】図１
0003194624.tif 000002
【実用新案登録請求の範囲】
【請求項１】
下台石と、上記下台石の上に載置された上台石と、上記上台石の上に載置された竿石を有し、上記上台石には前面と下面に開口を有する凹部が設けられ、上記凹部により形成される空洞部の内部に小型墓誌を収納し、上記空洞部の開口部に扉と扉止めを設けた墓石。
【請求項２】
小型墓誌は支持台に立てた状態で支持されている請求項１記載の墓石
【請求項３】
下台石の上面および支持台にそれぞれ水抜き貫通穴を設けた請求項２記載の墓石。
【請求項４】
下台石の上面のうち、左右および後部の上台石を載置する部分より外側の部分を斜めに削り落した請求項１記載の墓石。
【請求項５】
扉止めの差し込み部が円柱形で頭部は差し込み部より径の大きい円柱形とし、頭部の円柱の中心と差し込み部の円柱の中心をずらせた請求項１記載の墓石。
【考案の詳細な説明】
【考案の詳細な説明】
【技術分野】
【０００１】本考案は墓石に関するものである。
【背景技術】
【０００２】従来、墓地には墓石の傍らに一枚板の墓誌などが設置され戒名が彫られてあり、或いは墓石の竿石に戒名が彫られてある。従って戒名等を追加彫刻する際、墓誌や竿石を取り外し、彫刻後再び取り付けるのが一般的な一連の流れであるため、労力、時間、費用がかかるのは必然である。又、近年の墓地事情により一区画あたりの墓地の面積が狭くなっているため墓誌が置けなくなっている。【０００３】上記のような事情を考慮し、墓石又は墓構造内に開閉扉を有し収納室を設けて、供養のための戒名棒等を収納できる構造の墓石は、例えば特許文献１や特許文献２などが知られている。特許文献１では、ステンレス製鋼板等で作成した供養箱を、墓石本体の上台の底部を刳り抜き設けた空洞部に組み込み、扉が開かないよう石製の供物台を供養箱の前に置き、又、供養箱内部に安置された戒名棒を墓参法要の際取り出し供物台に載置して供養できることが開示されている。特許文献２では、墓石を有する墓構造の内部に開閉可能な扉を有し、有底の収納室が墓構造と一体に設けられ収納室内部に故人の遺影、仏像、経文などを収納でき、防水防塵装置を装着することが開示されている。
【先行技術文献】
【０００４】
【特許文献１】特開２００３−１４７９９８
【特許文献２】特開２００６−２９９６５１
【０００５】本来、供養の対象となる戒名が彫られた戒名棒などは、目に触れやすいよう立った状態で見るのが好ましいが、特許文献１記載の戒名棒は、材質の開示はないものの自立するが整列が困難でひとつ転ぶと将棋倒しになり横に寝かすしかなかった。また、墓参法要の際、いちいち石製の供物台をはずし供養箱から戒名棒を取り出して再び供物台を元に戻して供物台の上に戒名棒を載置しなければならなかった。また、供養後戒名棒を納めるときも同じ作業を再びしなければならなかった。さらに雨水の侵入や結露の恐れがあるため本来大切に扱うべき戒名棒などを永年にわたり良好な状態で保てない可能性があった。またステンレス製鋼板等で作成した供養箱の扉は、金属製又はガラス製であったがどちらにしても墓石という観点から違和感があり美観的に相応しくなかったし、またガラス製扉は破損しやすいのが課題であった。
【０００６】特許文献２の場合は、墓構造内部に設けられた有底の収納室に装着された扉の材質は開示がないものの蝶番により開閉され、また、扉自体に錠装置を取り付けてもよいとの開示がなされているので金属製もしくは、樹脂製と推測される。従って、特許文献１同様、墓石という観点から違和感があり好ましくなかった。さらに有底の収納室を設けた墓構造の上に重量のある竿石などを載置するため収納室上下部は強固な強度が必要とされる。従って、有底にすることで肝心の収納室が狭くなり、また、有底の収納室を加工するのは難易度が高く困難であった。また、防水防塵装置を装着しても結露や湿気による塵埃の汚れは付着する可能性があり有底で収納室内部が狭いため掃除が困難なのが課題であった。
【考案の概要】
【考案が解決しようとする課題】
【０００７】本考案は、上記の問題を改善し、戒名等の追加彫刻の際に必然とされる労力、時間、費用を削減でき、清掃がしやすく永年にわたり良好な状態で保存できる墓石を提供しようとするものである。
【課題を解決するための手段】
【０００８】請求項１の考案では、下台石と、上記下台石の上に載置された上台石と、上記上台石の上に載置された竿石を有し、上記上台石には前面と下面に開口を有する凹部が設けられ、上記凹部により形成される空洞部の内部に小型墓誌を収納し、上記空洞部の開口部に扉と扉止めを設けた。【０００９】請求項２の考案では小型墓誌を支持台に立てた状態で支持した。【００１０】請求項３の考案では、下台石の上面および支持台にそれぞれ水抜き貫通穴を設けた【００１１】請求項４の考案では、下台石の上面のうち、左右および後部の上台石を載置する部分より外側の部分を斜めに削り落した。【００１２】請求項５の考案では、扉止めの差し込み部が円柱形で頭部は差し込み部より径の大きい円柱形とし、頭部の円柱の中心と差し込み部の円柱の中心をずらせた。
【考案の効果】
【００１３】本考案の請求項１によれば、戒名などを追加彫刻する際、従来、少なくとも熟練の職人２人以上、２回にわたり必要であったが、上台石正面の開閉扉を有した空洞部に小型墓誌を収納してあることで簡単に小型墓誌を持ち帰り、または納めることが可能で、軽量であるため熟練の職人は必要なく、たとえば女性でも可能である。従って、従来に比べ労力、時間、費用を削減することが可能になった。或いは、墓参や年忌法要の際、扉を開けるだけで戒名を彫った小型墓誌が見えるので簡単に供養することが可能になる。また小型墓誌は空洞内に安置してあるため風化の恐れはなく永年にわたり良好な状態で保存することが可能である。【００１４】請求項２の考案によれば墓誌を立てた状態で安定して支持でき、墓誌を立てた状態で引き出したり収納したり移動させることが容易である。【００１５】請求項３の考案によれば、仮に空洞内に雨水が浸入し、或いは結露が発生しても下台石３に設けた空洞部に水滴が落ちるようになっているため、好ましくないともろに水がたまる恐れはない。【００１６】請求項４の考案によれば、雨水が空洞内に侵入しにくくすることができる。【００１７】請求項５の考案によれば、簡単な構造で扉を固定することができる。
【考案を実施するための形態】
【００１８】以下、本考案における墓石構造の実施の一形態について図面を参照して説明する。図１図２図３は、本考案の一実施例を示す。この実施例では下台石３を設置し、下台石３の上に上台石２を載置し、上台石２の上に竿石（仏石）１を載置する。これに加えて花立て４を一対、供物台５が設けられている。
【００１９】上台石２の正面側に空洞部８があり、その開口部に開閉扉６と扉止め７が設けられている。図４（Ａ）（Ｂ）（Ｃ）に示すように上台石２に、下面側と前面側に開口部を有する凹部１０８を形成する。凹部１０８の前面の開口部の左右上部の三方を削り取り縁ふち１８を形成し、縁ふち１８を形成することで扉を閉めた際戸当たりになり、また、雨水の浸入を防止できるようしてある。なお凹部１０８の開口部の上部に図１２に示す連結金具１７を挿入するためのピン挿入孔１２を設け、図５に示すとおり、下台石３の上面には、ピン挿入孔１３、扉止め差し込み孔１１、水抜き貫通穴１６を設け、扉６は図６に示すとおり左右の扉６の上下にピン挿入孔１４を設け、上台石２のピン挿入孔１２と下台石３のピン挿入孔１３と扉６のピン挿入孔１４にそれぞれ連結金具１７の突出部分を挿入することで連結金具が支点となり扉の開閉が可能になる。
【００２０】扉止め７は図１０に示すとおり丸みを持たせた円柱形の頭部７−Ａと、頭部７−Ａより径の小さい円柱形の差し込み部７−Ｂよりなる。なお、差し込み部７−Ｂの円柱の中心を頭部７−Ａの中心とずらす事により図５に示した下台石３の扉止め差し込み孔１１に扉止め７を挿入し、回転させると左右の扉６の突合せ部と扉止め７の頭部７−Ａの間隔を調整することが出来、扉止め７を下台石３の扉止め差し込み孔１１に挿入した際、扉６と扉止め頭部７−Ａの間に隙間があっても頭部７−Ａを回転させると扉６と頭部７−Ａは、隙間なく納まり、扉６を閉めた状態に保つことができ、扉６が自由に開いてしまうことを防止することができる。なお、この扉止めは湯呑型の形状にすることも可能であるし、その場合も差し込み部の中心をずらすこととするが、扉止め自体の形にとらわれない。
【００２１】さらに、上台石２の空洞部８に図８に示した故人の戒名等を彫った小型墓誌１０を立てるための図７の支持台９が納められるようになっている。図７に示すように支持台９の前面は扉６を開けた際戒名が見えるよう側面後面より低く設定し、さらに、小型墓誌１０を立てた状態で支持するための凹部１９が設けられている。凹部１９の底部には水抜きの貫通穴１３を設ける。なお、支持台９を引き出す際、墓誌１０と支持台９の間に指をかける隙間ができるように図７に示すような突出部２０が設けられている。支持台９の底面には図７の（Ｅ）に示すような、脚部２１が設けられているため、支持台９の出し入れ時の摩擦を軽減することができる。
小型墓誌１０を支持台９に立てた状態は図９に示すとおりである。図５および図７に示した通り、支持台９の底部および下台石３の上面にはそれぞれ水抜きの貫通穴１５、１６を設けてあるため万が一雨水が浸入し、或いは結露が発生しても下台石３に設けた空洞部に水滴が落ちるようになっている。
【００２２】さらに、上台石２の縁ふち１８上部の左右の扉の戸当たり部に磁石を埋め込み、扉部にそれぞれ金属板を設けることにより、磁石の作用でより一層扉を固定することができる。
【００２３】また、小型墓誌１０を立てた支持台９を出し入れしやすいよう、空洞部８の底面となる下台石３の上面の形状は、図５に示すとおり上台石２を載置する場所より外側の部分は水が流れるよう配慮し斜めに削り取り、空洞部８の開口部の扉前部分となる全面中央部のみ空洞部内部から水平を保つ構造にする。小型墓誌は一枚で約８名前後戒名を刻むことができるので、たとえば墓参や法要の際扉を開けるだけで故人の供養をすることができ、従来の一枚板の墓誌が不要になり墓地の省スペース化を図ることができる。また、必要に応じて予め小型墓誌を複数枚納めることができる構造にすることもできる。また、小型墓誌の底部に小型墓誌より幅の広い板石を装着し、横から見るとＴ字型の構造にし、自立させることもできるが、地震などで倒れ破損する恐れがあるため、支持台に納めるのが好ましい。
【００２４】本考案の墓石は、上記の実施例の如く伝統的な和型墓石構造だけではなく、上下に複数段設けられた墓石構造なら、たとえば洋型墓石、デザイン墓石にも応用することができる。なお、水鉢、ローソク立て、線香立てなど墓参の際必要な構造体を有してもよいし、扉は一枚扉で一方に開く構造にすることもできる。また、小型墓誌、支持台、扉は、結露、塵埃など汚れが付着しても全て鏡面仕上げの石材を使用することにより、たとえば濡れ雑巾等で容易に掃除することが可能であるし、空洞部内部も鏡面地上げをしてあるため容易に掃除をすることができる
【００２５】以上のように、本考案は墓参に関する伝統的な慣習を妨げることなく、労力、時間、費用削減を可能とし、永年にわたって良好な状態で墓誌を保存することができ、墓石としての美観を損うことなく、墓地の省スペース化を図る墓石構造となっている。
【図面の簡単な説明】
【００２６】
【図１】本考案に関わる墓石構造の一実施例を説明するため斜視図である。
【図２】同墓石の正面図である。
【図３】同墓石の側面図である。
【図４】（Ａ）上台石の斜視図、同（Ｂ）同正面図、同（Ｂ）同側面図である。
【図５】（Ａ）下台石の斜視図、同（Ｂ）同正面図、同（Ｃ）同側面図である。
【図６】（Ａ）扉の斜視図、同（Ｂ）同正面図、同（Ｃ）同側面である。
【図７】（Ａ）支持台の斜視図、同（Ｂ）同正面図、同（Ｃ）同側面図、同（Ｄ）同平面図、同（Ｅ）同底面平面図である。
【図８】小型墓誌の斜視図である。
【図９】（Ａ）支持台に立てられた小型墓誌の斜視図、同（Ｂ）同正面図、同（Ｃ）同側面図である。
【図１０】扉止めの斜視図である。
【図１１】連結金具の斜視図である。
【符号の説明】１竿石
２上台石
３下台石
４花立て
５供物台
６扉石
７扉止め
８空洞部
９支持台
１０小型墓誌
１１扉止め差し込み孔
１２上台石ピン挿入孔
１３下台石ピン挿入孔
１４扉ピン挿入孔
１５支持台水抜き貫通穴
１６下台石水抜き貫通穴
１７連結金具
１８縁ふち
１９支持台凹部
２０突出部
２１脚部
【図１】
0003194624.tif 000003
【図２】
0003194624.tif 000004
【図３】
0003194624.tif 000005
【図４】
0003194624.tif 000006
【図５】
0003194624.tif 000007
【図６】
0003194624.tif 000008
【図７】
0003194624.tif 000009
【図８】
0003194624.tif 000010
【図９】
0003194624.tif 000011
【図１０】
0003194624.tif 000012
【図１１】
0003194624.tif 000013